(57)【要約】【課題】金属カバーを用いることなく静電対策を実現したディスク装置を提供する。【解決手段】導電性のワイヤを、ピックアップスライダ移動要のシャフトや、コネクタ等の電子部品、あるいはセンサなとの部材に接触またはその近傍を通るように配置する。導電性のワイヤはさらに、アース機能を持つ例えばねじなどの部材に接触するように構成する。本構成によって、ディスク装置上に発生する静電気やユーザの接触なとによってディスク装置に流入する静電気を導電性ワイヤとねじなどのアース機能部材を介して放出させることが可能となり、静電気による電子部品の誤作動などを防止することが可能となる。【選択図】図４
2012221529.tif 000002
【特許請求の範囲】
【請求項１】
ディスク装着部と、
ピックアップスライダと、
ピックアップスライダの移動用のシャフトと、
少なくとも前記シャフトに接触または、シャフト近傍に配置された導電性ワイヤと、
前記導電性ワイヤに接触して配置されたアース部材と、
を有するディスク装置。
【請求項２】
前記ディスク装置は、さらに、
電子部品を有し、
前記導電性ワイヤは、前記電子部品に接触または近傍に配置された構成である請求項１に記載のディスク装置。
【請求項３】
前記導電性ワイヤは、
前記ピックアップスライダの移動用の２本のシャフトと、１以上の電子部品に接触またはその近傍を通るように配置された構成である請求項２に記載のディスク装置。
【請求項４】
前記ディスク装置は、さらに、
センサを有し、
前記導電性ワイヤは、前記センサに接触または近傍に配置された構成である請求項１に記載のディスク装置。
【請求項５】
前記アース部材は、前記導電性ワイヤに接触して配置されたねじ部材である請求項１に記載のディスク装置。
【発明の詳細な説明】
【技術分野】
【０００１】
本開示は、ディスク装置に関する。さらに詳しくは、静電対策を施したディスク装置に関する。
【背景技術】
【０００２】
図１は従来のディスク装置を示している。例えばパーソナルコンピュータやＤＶＤプレーヤ／レコーダ、ＢＤプレーヤ／レコーダなどに搭載されるディスク装置である。
図１には、一例としてＰＣ１０に装着されたディスク装置２０を示している。
ディスク装置２０は、例えばＰＣ１０からスライドして外部に引き出され、例えばＤＶＤやＢＤ等の光ディスクを装着可能な構成を持つ。
【０００３】
図１に示すようにディスク装置２０は、ＤＶＤやＢＤ等の光ディスクを載置する円形領域としてのディスク載置領域２１を有し、中心にディスクを回転駆動し、固定するためのディスク装着部２２や、ディスクからのデータの読み取りやディスクに対するデータの書き込み用のレーザ光を出力するピックアップ２３を有する。
なお、このようなディスク装置を開示した従来技術しては例えば特許文献１（特開２００５−１７４５３２号公報）がある。
【０００４】
ディスク装着部２２やピックアップ２３は、例えばトラバースメカ３０と呼ばれる部材上に装着される。トラバースメカ３０は、ディスク駆動やディスクに対するデータの読み書き用の電子部品を備えた部材として構成される。
【０００５】
従来の一般的なトラバースメカ３０の構成例を図２に示す。
トラバースメカ３０は、ディスク装着部２２やピックアップ２３の他、ピックアップを固定して摺動させるためのピックアップスライダ４１、ピックアップに対する信号入出力回路等を備えたフレキシブル基板４２、ピックアップスライダ４１を摺動させるためのシャフト４３、さらに、ピックアップやディスクドライブに関するデータ処理やメモリ機能を祖備えた複数の電子部品（コネクタ）５１、さらにセンサ５２等を備えている。
【０００６】
これらの各構成部材は、例えば樹脂性のシャーシ    ７０に固定されている。
さらに、トラバースメカ３０に構成された各部材に静電気が蓄積されないようにするいわゆる静電気放電［ＥＳＤ：Ｅｌｅｃｔｒｏ−ｓｔａｔｉｃ  ｄｉｓｃｈａｒｇｅ］対策のため、シャーシ７０の全体を覆うような金属カバー７１が複数の固定部材（ねじ）７２によって固定されている。
【０００７】
この金属カバー７１の装着により、トラバースメカ３０上の各部材に発生する静電気は、金属カバー７１、固定部材（ねじ）７２を介して、例えばＰＣの本体の筐体等に放出される。
【０００８】
なお、トラバースメカ３０における静電気は、例えば電気信号が流れる電子部品５１や、ピックアップスライダ４１が摺動するシャフト４３等に多く発生する。
さらに、静電気を帯電したユーザの指の接触などに起因して、トラバースメカ３０に静電気が蓄積されてしまう場合もある。
【０００９】
トラバースメカ３０の部材に発生した静電気や、ユーザの接触などによって発生した静電気は、金属カバー７１、固定部材（ねじ）７２を介して、例えばＰＣの本体の筐体等に放出される。
その結果、トラバースメカ３０には、静電気が蓄積されず、例えば電子部品５１の誤動作などの発生が防止される。
【００１０】
しかしながら、金属カバー７１の製造には、例えば金型の作成、金型を用いた板金加工などが必要となり、コスト高を招くという問題がある。また金属板を使用することによる装置全体の重量増加という問題も発生させる。
【先行技術文献】
【特許文献】
【００１１】
【特許文献１】特開２００５−１７４５３２号公報
【発明の概要】
【発明が解決しようとする課題】
【００１２】
本開示は、例えば上記問題点に鑑みてなされたものであり、金属カバーを用いることなく静電対策を可能としたディスク装置を提供することを目的とする。
【課題を解決するための手段】
【００１３】
本開示の第１の側面は、
ディスク装着部と、
ピックアップスライダと、
ピックアップスライダの移動用のシャフトと、
少なくとも前記シャフトに接触または、シャフト近傍に配置された導電性ワイヤと、
前記導電性ワイヤに接触して配置されたアース部材と、
を有するディスク装置にある。
【００１４】
さらに、本開示のディスク装置の一実施態様において、前記ディスク装置は、さらに、電子部品を有し、前記導電性ワイヤは、前記電子部品に接触または近傍に配置された構成である。
【００１５】
さらに、本開示のディスク装置の一実施態様において、前記導電性ワイヤは、前記ピックアップスライダの移動用の２本のシャフトと、１以上の電子部品に接触またはその近傍を通るように配置された構成である。
【００１６】
さらに、本開示のディスク装置の一実施態様において、前記ディスク装置は、さらに、センサを有し、前記導電性ワイヤは、前記センサに接触または近傍に配置された構成である。
【００１７】
さらに、本開示のディスク装置の一実施態様において、前記アース部材は、前記導電性ワイヤに接触して配置されたねじ部材である。
【発明の効果】
【００１８】
本開示の一実施例の構成によれば、金属カバーを用いることなく静電対策を実現したディスク装置が提供される。
具体的には、例えば、導電性のワイヤを、ピックアップスライダ移動要のシャフトや、コネクタ等の電子部品、あるいはセンサなとの部材に接触またはその近傍を通るように配置する。導電性のワイヤはさらに、アース機能を持つ例えばねじなどの部材に接触するように構成する。本構成によって、ディスク装置上に発生する静電気やユーザの接触なとによってディスク装置に流入する静電気を導電性ワイヤとねじなどのアース機能部材を介して放出させることが可能となり、静電気による電子部品の誤作動などを防止することが可能となる。
【図面の簡単な説明】
【００１９】
【図１】一般的なディスク装置の構成例について説明する図である。
【図２】一般的なトラバースメカの構成例について説明する図である。
【図３】本開示のディスク装置の構成例について説明する図である。
【図４】本開示のトラバースメカの構成例について説明する図である。
【発明を実施するための形態】
【００２０】
以下、図面を参照しながら本開示のディスク装置の詳細について説明する。
以下の項目に従って説明する。
（１）本開示のディスク装置の一実施例について
（２）本開示の構成のまとめ
【００２１】
［（１）本開示のディスク装置の一実施例について］
図３は、先に図１を参照して説明したと同様、ＰＣ１００に備えられたディスク装置１２０を示している。
なお、ここでは、ＰＣ１００に備えられたディスク装置１２０の例を一例として示しているが、ディスク装置１２０は、その他、ＤＶＤプレーヤ／レコーダ、ＢＤプレーヤ／レコーダなどの様々な装置に装着可能である。
【００２２】
ディスク装置１２０は、例えばＰＣ１００からスライドして外部に引き出され、例えばＤＶＤやＢＤ等の光ディスクを装着可能な構成を持つ。
【００２３】
図３に示すようにディスク装置１２０は、ＤＶＤやＢＤ等の光ディスクを載置する円形領域としてのディスク載置領域１２１を有し、中心にディスクを回転駆動し、固定するためのディスク装着部１２２や、ディスクからのデータの読み取りやディスクに対するデータの書き込み用のレーザ光を出力するピックアップ１２３を有する。
【００２４】
ディスク装着部１２２やピックアップ１２３は、先に従来例として説明した図１、図２に示す構成と同様、トラバースメカ１３０と呼ばれる構成部材上に装着される。トラバースメカ１３０は、ディスク駆動やディスクに対するデータの読み書き用の電子部品を備えた部材として構成される。
【００２５】
本開示に従ったトラバースメカ１３０の構成例を図４に示す。
トラバースメカ１３０は、ディスク装着部１２２やピックアップ１２３の他、ピックアップを固定して摺動させるためのピックアップスライダ１４１、ピックアップに対する信号入出力回路等を備えたフレキシブル基板１４２、ピックアップスライダ１４１を摺動させるためのシャフト１４３、さらに、ピックアップやディスクドライブに関するデータ処理やメモリ機能を祖備えた複数の電子部品（コネクタ）１５１、さらにセンサ１５２等を備えている。
【００２６】
これらの各構成部材は、例えば樹脂性のシャーシ    １７０に固定されている。
これらの構成は、図２を参照して説明した構成と同様の構成である。
【００２７】
図２を参照して説明した従来の一般的なトラバースメカ構成との差異は、本開示に従った図４に示すトラバースメカ１３０には、図２を参照して説明した金属カバー７１が装着されていないことである。
【００２８】
先に図２を参照して説明したように、金属カパー７１は、トラバースメカ上の静電気を外部に放出させる静電気放電［ＥＳＤ：Ｅｌｅｃｔｒｏ−ｓｔａｔｉｃ  ｄｉｓｃｈａｒｇｅ］対策のために装着されていたものである。
【００２９】
しかし、図４に示す本開示に従ったトラバースメカ１３０は、金属カバーを削除した構成を持つ。
図４に示すトラバースメカ１３０は、金属カバーを削除した代わりに導電部材からなるワイヤ２０１を装着している。
【００３０】
ワイヤ２０１は例えばスチール部材などの導電性を持つ部材によって構成される。
ワイヤ２０１は、静電気の発生しやすい複数の部材に接触または近傍位置を通るように配置する。
【００３１】
先に説明したように、トラバースメカ１３０における静電気は、例えば電気信号が流れる電子部品１５１や、ピックアップスライダ１４１が摺動するシャフト１４３等に多く発生する。さらに、静電気を蓄積したユーザの接触などによってもトラバースメカ１３０に静電気が流れ込む場合がある。
【００３２】
図４に示すように、ワイヤ１２０は、電気信号が流れる電子部品１５１や、センサ１５２や、ピックアップスライダ１４１が摺動するシャフト１４３に接触またはその近傍を通るように配置する。
すなわち、静電気の発生しやすい部材や、静電気による誤作動が発生しやすい部材に接触またはその近傍を通るように配置する。
【００３３】
また、ワイヤ１２０は、導電性の固定部材（ねじ）１７２に接触するように設定される。導電性の固定部材（ねじ）１７２は例えばＰＣ等の本体装置の筐体などに電気的に接続されており、ワイヤ２０１からの静電気放電［ＥＳＤ：Ｅｌｅｃｔｒｏ−ｓｔａｔｉｃ  ｄｉｓｃｈａｒｇｅ］が可能な設定となっている。すなわち、固定部材（ねじ）１７２はアース部材としての役割を持つ。
【００３４】
このように、アース機能を持つ部材に接続されたワイヤ２０１を装着することで、トラバースメカ１３０上の各部材に発生する静電気や、例えばユーザ等の接触によってトラバースメカ１３０に流入する静電気は、ワイヤ２０１、固定部材（ねじ）１７２を介して放出される。その結果、トラバースメカ１３０には、静電気が蓄積されず、例えば電子部品１５１の誤動作などの発生が防止される。
【００３５】
なお、図４に示すワイヤ２０１の配置例は一例であり、トラバースメカ上の部材の配置構成に応じて様々な設定が可能である。
ただし、静電気の発生しやすい部材や、静電気による誤作動が発生しやすい部材に接触またはその近傍を通るような配置構成とすることが望ましい。
【００３６】
本開示の構成では、図２に示すような金属カバーを用いることなく、図４に示すようにワイヤ２０１を利用するのみの構成によってＥＳＤ対策が実現される。ワイヤは、金属板のように金型を用いた製造工程が不要であり、製造コストが削減され、また金属板の装着による重量増加も回避できるという優れた効果を発揮する。
【００３７】
［２．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【００３８】
なお、本明細書において開示した技術は、以下のような構成をとることができる。
（１）ディスク装着部と、
ピックアップスライダと、
ピックアップスライダの移動用のシャフトと、
少なくとも前記シャフトに接触または、シャフト近傍に配置された導電性ワイヤと、
前記導電性ワイヤに接触して配置されたアース部材と、
を有するディスク装置。
【００３９】
（２）前記ディスク装置は、さらに、電子部品を有し、前記導電性ワイヤは、前記電子部品に接触または近傍に配置された構成である前記（１）に記載のディスク装置。
（３）前記導電性ワイヤは、前記ピックアップスライダの移動用の２本のシャフトと、１以上の電子部品に接触またはその近傍を通るように配置された構成である前記（１）または（２）に記載のディスク装置。
【００４０】
（４）前記ディスク装置は、さらに、センサを有し、前記導電性ワイヤは、前記センサに接触または近傍に配置された構成である前記（１）〜（３）いずれかに記載のディスク装置。
（５）前記アース部材は、前記導電性ワイヤに接触して配置されたねじ部材である前記（１）〜（４）いずれかに記載のディスク装置。
【産業上の利用可能性】
【００４１】
以上、説明したように、本開示の一実施例の構成によれば、金属カバーを用いることなく静電対策を実現したディスク装置が提供される。
具体的には、例えば、導電性のワイヤを、ピックアップスライダ移動要のシャフトや、コネクタ等の電子部品、あるいはセンサなとの部材に接触またはその近傍を通るように配置する。導電性のワイヤはさらに、アース機能を持つ例えばねじなどの部材に接触するように構成する。本構成によって、ディスク装置上に発生する静電気やユーザの接触なとによってディスク装置に流入する静電気を導電性ワイヤとねじなどのアース機能部材を介して放出させることが可能となり、静電気による電子部品の誤作動などを防止することが可能となる。
【符号の説明】
【００４２】
１０  パーソナルコンピュータ（ＰＣ）
２０  ディスク装置
２１  ディスク載置領域
２２  ディスク装着部
２３  ピックアップ
３０  トラバースメカ
４１  ピックアップスライダ
４２  フレキシブル基板
４３  シャフト
５１  電子部品（コネクタ）
５２  センサ
７０  シャーシ
７１  金属カバー
７２  固定部材（ねじ）
１００  パーソナルコンピュータ（ＰＣ）
１２０  ディスク装置
１２１  ディスク載置領域
１２２  ディスク装着部
１２３  ピックアップ
１３０  トラバースメカ
１４１  ピックアップスライダ
１４２  フレキシブル基板
１４３  シャフト
１５１  電子部品（コネクタ）
１５２  センサ
１７０  シャーシ
１７２  固定部材（ねじ）
２０１  ワイヤ
【図１】
2012221529.tif 000003
【図２】
2012221529.tif 000004
【図３】
2012221529.tif 000005
【図４】
2012221529.tif 000006